(57)【特許請求の範囲】
【請求項１】
地震の発生を検出してブレーカを遮断する感震装置において、２つの入力端子と３つの出力端子を備え、前記２つの入力端子のうち何れか一方の入力端子と、前記３つの出力端子のうち何れか１つの出力端子とを電気的に接続し、残りの２つの前記出力端子間に警報接点を設けたことを特徴とする感震装置。
【請求項２】
前記感震装置において、前記入力端子に接続された前記出力端子と前記警報接点に接続された一方の前記出力端子との間を短絡線又はスイッチ等により接続したことを特徴とする請求項１に記載の感震装置。
【請求項３】
前記感震装置において、前記入力端子に接続された前記出力端子と前記警報接点に接続された一方の前記出力端子との間に外付けの抵抗を接続したことを特徴とする請求項１に記載の感震装置。
【発明の詳細な説明】
【０００１】
【発明の属する技術分野】
本発明は、地震の発生時に電気火災を防止するためにブレーカを遮断する感震装置に関する。
【０００２】
【従来の技術】
従来の感震装置は、遮断させるブレーカの種類によって回路構成が異なっている。図６に示すように専用漏電ブレーカ３１を遮断するための感震装置３２は、電路のＬ相とＮ相に接続するための２つの入力端子３３，３４と、専用漏電ブレーカ３１に警報信号を出力するための２つの出力端子３５，３６を備え、出力端子３５，３６間にリレーの接点３７が挿入され、リレーのコイル３８は制御部３９に接続され、制御部３９に地震を検知するための地震検出部４０が接続されている。出力端子３５，３６は専用漏電ブレーカ３１の専用端子４１，４２に接続される。地震検出部４０により地震の発生を検出すると制御部３９がリレーのコイル３８を励磁してリレーの接点３７を閉成し、無電圧ａ接点出力により専用漏電ブレーカ３１を遮断させている。
【０００３】
また、図７に示すように専用分岐ブレーカ５１を遮断するための感震装置５２は、電路のＬ相とＮ相に接続するための２つの入力端子５３，５４と、専用分岐ブレーカ５１に警報信号を出力するための２つの出力端子５５，５６を備え、出力端子５５，５６間にリレーの接点５７と電源５８が挿入され、リレーのコイル５９は制御部６０に接続され、制御部６０に地震を検知するための地震検出部６１が接続されている。出力端子５５，５６は専用分岐ブレーカ５１の専用端子６２，６３に接続される。地震検出部６１により地震の発生を検出すると制御部６０がリレーのコイル５９を励磁してリレーの接点５７を閉成し、電圧出力により専用分岐ブレーカ５１を遮断させている。
【０００４】
また、図８に示すように通常の漏電ブレーカ７１を遮断するための感震装置７２は、電路のＬ相とＮ相に接続するための２つの入力端子７３，７４と、通常の漏電ブレーカ７１に警報信号を出力するための２つの出力端子７５，７６を備え、出力端子７５，７６間にリレーの接点７７と抵抗７８が挿入され、リレーのコイル７９は制御部８０に接続され、制御部８０に地震を検知するための地震検出部８１が接続されている。出力端子７５，７６は漏電ブレーカ７１の一方の相の一次側端子８２と他方の相の二次側端子８３に接続される。地震検出部８１により地震の発生を検出すると制御部８０がリレーのコイル７９を励磁してリレーの接点７７を閉成し、擬似漏電出力により漏電ブレーカ７１を遮断させている。
【０００５】
【発明が解決しようとする課題】
専用ブレーカを遮断する感震装置は、装置を小型に形成することができるが、専用ブレーカ以外のブレーカを遮断させることができないため、既設の設備で使用することができないという欠点があった。
【０００６】
また、通常の漏電ブレーカを遮断する感震装置は、十分な擬似漏電電流をブレーカに流すために形状の大きな抵抗を装置に内蔵しなければならない。従って装置が大型化し、既設の分電盤では設置スペースの制限があるため、設置できない場合があった。また、専用ブレーカに使用することができないという欠点があった。
【０００７】
【課題を解決するための手段】
上記従来の感震装置の問題点に鑑み、本発明の目的は、無電圧ａ接点出力、電圧出力、及び擬似漏電出力等の複数の警報出力を可能にし、既設又は新設の全ての分電盤に設置することができる感震装置を提供するもので、その構造は、地震の発生を検出してブレーカを遮断する感震装置において、２つの入力端子と３つの出力端子を備え、２つの入力端子のうち何れか一方の入力端子と、３つの出力端子のうち何れか１つの出力端子とを電気的に接続し、残りの２つの出力端子間に警報接点を設けたことである。
【０００８】
また、感震装置において、入力端子に接続された出力端子と警報接点に接続された一方の出力端子との間を短絡線又はスイッチ等により接続したことである。
【０００９】
また、感震装置において、入力端子に接続された出力端子と警報接点に接続された一方の出力端子との間に外付けの抵抗を接続したことである。
【００１０】
【発明の実施の形態】
請求項１に記載の感震装置によれば、地震の発生を検出してブレーカを遮断する感震装置において、地震の発生を検出してブレーカを遮断する感震装置において、２つの入力端子と３つの出力端子を備え、２つの入力端子のうち何れか一方の入力端子と、３つの出力端子のうち何れか１つの出力端子とを電気的に接続し、残りの２つの出力端子間に警報接点を設けたことにより、複数の警報出力を可能にし、既設又は新設の全ての分電盤に設置することができる。
【００１１】
請求項２に記載の感震装置によれば、入力端子に接続された出力端子と警報接点に接続された一方の出力端子との間を短絡線又はスイッチ等により接続したことにより、警報を電圧出力することができる。
【００１２】
請求項３に記載の感震装置によれば、入力端子に接続された出力端子と警報接点に接続された一方の出力端子との間に外付けの抵抗を接続したことにより、警報を擬似漏電出力することができ、抵抗を外付けにするために装置を小型にすることができる。
【００１３】
【実施例】
本発明に係る感震装置の一実施例を図１〜図５の添付図面に基づいて説明する。
【００１４】
図１に示すように感震装置１は、電路のＬ相とＮ相に接続するための２つの入力端子２，３と、ブレーカに警報信号を出力するための３つの出力端子４，５，６とを備え、２つの入力端子２，３のうち何れか一方の入力端子、例えばＬ相の入力端子２と、３つの出力端子４，５，６のうち何れか１つの出力端子、例えば第１の出力端子４とを電気的に接続している。
【００１５】
また、地震を検出するための地震検出部７と、地震検出部７の出力により地震か否かを判断して出力を行う制御部８と、制御部８の出力により駆動するリレーのコイル９と、リレーの接点１０とを備え、リレーの接点１０は残りの出力端子、即ち、第２の出力端子５と第３の出力端子６との間に設けられている。
【００１６】
図２に示すように感震装置１を専用漏電ブレーカ１１に用いる場合は、専用漏電ブレーカ１１の二次側端子１２，１３に感震装置１の入力端子２，３を接続し、第１の出力端子４は未接続にし、第２の出力端子５と第３の出力端子６を専用漏電ブレーカ１１の夫々の専用端子１４，１５に接続する。
【００１７】
地震検出部７により地震の発生を検出すると制御部８がリレーのコイル９を励磁してリレーの接点１０を閉成し、無電圧ａ接点出力により専用漏電ブレーカ１１を遮断させる。
【００１８】
図３に示すように感震装置１を専用分岐ブレーカ１６に用いる場合は、主幹ブレーカ（図示せず）の二次側端子に感震装置１の入力端子２，３を接続し、第１の出力端子４と第２の出力端子５との間を短絡線１７で接続して短絡させる。また、第３の出力端子６とＮ相の電路とを専用分岐ブレーカ１６の夫々の専用端子１８，１９に接続する。
【００１９】
地震検出部７により地震の発生を検出すると制御部８がリレーのコイル９を励磁してリレーの接点１０を閉成し、電圧出力により専用分岐ブレーカ１６を遮断させる。
【００２０】
尚、図４に示すように短絡線１７に代わってスイッチ２０等を使用し、回路を切り替え可能にしても良い。
【００２１】
図５に示すように感震装置１を通常の漏電ブレーカ２１に用いる場合は、漏電ブレーカ２１の二次側端子２２，２３に感震装置１の入力端子２，３を接続し、第１の出力端子４と第２の出力端子５との間に外付けの抵抗２４を接続する。また、第３の出力端子６と漏電ブレーカ２１のＮ相の一次側端子２５を接続する。
【００２２】
地震検出部７により地震の発生を検出すると制御部８がリレーのコイル９を励磁してリレーの接点１０を閉成し、擬似漏電出力により漏電ブレーカ２１を遮断させる。
【００２３】
尚、本実施例において警報接点としてリレーを使用したが、これに代わってフォトカプラ等のスイッチング機能を有するものを使用しても良い。
【００２４】
【発明の効果】
以上のように本発明に係る感震装置は、地震の発生を検出してブレーカを遮断する感震装置において、地震の発生を検出してブレーカを遮断する感震装置において、２つの入力端子と３つの出力端子を備え、２つの入力端子のうち何れか一方の入力端子と、３つの出力端子のうち何れか１つの出力端子とを電気的に接続し、残りの２つの出力端子間に警報接点を設けたことにより、複数の警報出力を可能にし、既設又は新設の全ての分電盤に設置することができるという優れた効果がある。
【００２５】
また、入力端子に接続された出力端子と警報接点に接続された一方の出力端子との間を短絡線又はスイッチ等により接続したことにより、警報を電圧出力することができるという優れた効果がある。
【００２６】
また、入力端子に接続された出力端子と警報接点に接続された一方の出力端子との間に外付けの抵抗を接続したことにより、警報を擬似漏電出力することができ、抵抗を外付けにするために装置を小型にすることができるという優れた効果がある。
【図面の簡単な説明】
【図１】本発明に係る感震装置の回路図である。
【図２】本発明に係る感震装置を専用漏電ブレーカに接続した状態の回路図である。
【図３】本発明に係る感震装置を専用分岐ブレーカに接続した状態の回路図である。
【図４】第１の出力端子と第２の出力端子との間にスイッチを設けた感震装置である。
【図５】本発明に係る感震装置を漏電ブレーカに接続した状態の回路図である。
【図６】従来の専用漏電ブレーカ用の感震装置の回路図である。
【図７】従来の専用分岐ブレーカ用の感震装置の回路図である。
【図８】従来の漏電ブレーカ用の感震装置の回路図である。
【符号の説明】
１…感震装置
２，３…入力端子
４〜６…出力端子
７…地震検出部
８…制御部
９…リレーのコイル
１０…リレーの接点
１１…専用漏電ブレーカ
１６…専用分岐ブレーカ
１７…短絡線
２１…漏電ブレーカ
２４…抵抗
【図１】
0004562160.tif 000002
【図２】
0004562160.tif 000003
【図３】
0004562160.tif 000004
【図４】
0004562160.tif 000005
【図５】
0004562160.tif 000006
【図６】
0004562160.tif 000007
【図７】
0004562160.tif 000008
【図８】
0004562160.tif 000009